(57)【要約】【課題】複数のフレーム片を接続して適宜の締結手段１１ｇで連結した枠体フレーム（被装着対象物）１１，１２に対してカバー本体部１３を良好に装着することを可能とする。【解決手段】枠体フレーム（被装着対象物）１１，１２の少なくとも一部を覆うように装着されるカバー本体部１３に、当該カバー本体部１３の装着時にフレーム片の接続部１１ｅ又は締結手段１１ｇ等からなる突状障害部とカバー本体部１３とを非干渉状態に弾性変位させる介挿突起部１３ｄを設けたことによって、枠体フレーム１１，１２に対するカバー本体部１３の装着を支障なく良好に行わせるように構成したもの。【選択図】図４
2008092222.tif 000002
【特許請求の範囲】
【請求項１】
被装着対象物の少なくとも一部を覆うように装着されるカバー本体部を備えたカバー構造体において、
前記カバー本体部の装着時に、前記被装着対象物に設けられた突状障害部との干渉を回避させる介挿突起部が設けられたものであって、
前記介挿突起部は、前記カバー本体部の装着方向先端部分を前記突状障害部を乗り越える位置まで弾性変位させる案内面と、装着されたカバー本体部を前記被装着対象物に対して固定状態とする係合面と、を備えていることを特徴とするカバー構造体。
【請求項２】
前記被装着対象物は、複数のフレーム片の接続部が適宜の締結手段により固定された枠体フレームからなるとともに、
前記突状障害部が、フレーム片の接続部又は前記締結手段からなることを特徴とする請求項１記載のカバー構造体。
【請求項３】
前記被装着対象物には、前記カバー本体部の装着後に前記介挿突起部の係合面を受け入れる係止部が設けられていることを特徴とする請求項１記載のカバー構造体。
【請求項４】
前記カバー本体部には、装着後に当該カバー本体部を前記突状障害部と非干渉状態とする逃げ凹部が設けられていることを特徴とする請求項１記載のカバー構造体。
【請求項５】
前記介挿突起部は、前記カバー本体部の内面側から立ち上がるように設けられたリブ状部材からなり、
そのリブ状部材は、前記カバー本体部の装着方向の前方側から後方側に向かって立ち上がり寸法が連続的に拡大する矢先形状をなすように形成されていることを特徴とする請求項１記載のカバー構造体。
【請求項６】
前記介挿突起部が、前記突状障害部を挟んだ両側に配置されていることを特徴とする請求項１のカバー構造体。
【請求項７】
前記枠体フレームが、画像形成装置における画像読取装置の枠体を構成していることを特徴とする請求項２のカバー構造体。
【請求項８】
請求項１〜請求項７のいずれかに記載されたカバー構造体を備えたことを特徴とする画像形成装置。
【発明の詳細な説明】
【技術分野】
【０００１】
本発明は、被装着対象物の少なくとも一部を覆うように装着されるカバー本体部を備えたカバー構造体に関する。
【背景技術】
【０００２】
一般に、例えば複写機等の各種画像形成装置やその他の各種の機械装置においては、通常、装置本体又は各部の外方側部分が外装カバー等のカバー構造体により覆われている。カバー構造体は、装置各部を構成している構造体の枠体フレーム等からなる被装着対象物に対して外側から嵌め込むようにして取り付けられている。
【発明の開示】
【発明が解決しようとする課題】
【０００３】
このとき、上述した枠体フレーム等の被装着対象物が、例えば一枚板から製造されることによって継ぎ目の無い構造となっている場合には、枠体フレーム等の被装着対象物に対して外装カバー等のカバー構造体を装着するにあたって干渉する部分が存在しないため、カバー構造体の装着を円滑に行うことができるが、枠体フレーム等の被装着対象物が複数のフレーム片を接続して適宜の締結手段で連結して構成されている場合には、カバー構造体を装着する際に、フレーム片どうしの接続部や締結手段等の突状障害部と干渉してカバー構造体の装着に支障を来す場合がある。
【０００４】
例えば、図２に示されている複写機の原稿読取部（スキャナ）の構造体を構成している平面略矩形状の枠体フレーム１１は、複数のフレーム片１１ａ〜１１dを環状に接続した構成になされており、各フレーム片１１ａ〜１１dどうしの接続部が螺子等の適宜の締結手段により連結されている。このように枠体フレーム１１を複数のフレーム片１１ａ〜１１dから構成する理由は、枠体フレーム１１の全体を一枚の板金から作製すると、原稿読取用の開口穴を打ち抜いて製造する際に多くの不要材料が発生してしまうからであり、特に、画像読取装置の原稿読取部で大きいサイズの原稿を読取可能とするために大きな開口穴を形成する必要がある場合には、枠体フレーム１１を複数のフレーム片１１ａ〜１１dに分割した構造とすることによって無駄な材料を大幅に低減することができるからである。
【０００５】
しかしながら、上述した枠体フレーム１１の分割構造では、フレーム片１１ａ〜１１dの接続部において板金どうしが重合された関係になされたり、螺子等の締結手段が用いられるため、それらのフレーム片１１ａ〜１１dどうしの接続部や締結手段が枠体フレーム１１から突出した状態となる。そして、そのような状態で枠体フレーム１１にカバー構造体を装着しようとすると、カバー構造体の装着方向先端部分や内面側が、上述した接続部や締結手段等からなる突状障害部と干渉してしまい、カバー構造体の装着が良好に行われなくなってしまうことがある。
【０００６】
そこで、本発明は、複数のフレーム片の接続部を適宜の締結手段で連結した枠体フレームに対してカバー構造体を良好に装着することができるようにしたカバー構造体及びそれを備えた画像形成装置を提供することを目的とする。
【０００７】
【特許文献１】特開平０８−２２５１６７号公報
【課題を解決するための手段】
【０００８】
上記目的を達成するため本発明では、被装着対象物の少なくとも一部を覆うように装着されるカバー本体部を備えたカバー構造体において、前記カバー本体部の装着時に、前記被装着対象物に設けられた突状障害部との干渉を回避させる介挿突起部が設けられたものであって、前記介挿突起部は、前記カバー本体部の装着方向先端部分を前記突状障害部を乗り越える位置まで弾性変位させる案内面と、装着されたカバー本体部を前記被装着対象物に対して固定状態とする係合面とを備えている。
【０００９】
このような構成を有するカバー構造体によれば、カバー本体部を枠体フレーム等の被装着対象物に装着する際に、介挿突起部に設けられた案内面の楔作用によってカバー本体部が被装着対象物側から離間する方向に持ち上げられ、締結手段やフレーム片の接続部等の突状障害部と非干渉状態となるようにカバー本体部の先端部分が弾性変位させられることによって被装着対象物に対するカバー構造体の装着が支障なく良好に行われるとともに、装着された後のカバー本体部は、係合面により被装着対象物に対して固定されるようになっている。
【００１０】
また、本発明では、前記被装着対象物には、前記カバー本体部の装着後に前記介挿突起部の係合面を受け入れる係止部が設けられている。
【００１１】
このような構成を有するカバー構造体によれば、枠体フレーム等の被装着対象物にカバー本体部が装着された状態において、カバー本体部の介挿突起部が枠体フレーム等の被装着対象物側の係止部内に受け入れられ、それによって、カバー本体部の浮き上がり状態が解消されて被装着対象物にカバー本体部が密着された状態となり、外部から異物等の混入が防止されるとともに、被装着対象物からのカバー本体部の離脱が防止されるようになっている。
【００１２】
さらに、本発明では、前記カバー本体部には、装着後に当該カバー本体部を前記突状障害部と非干渉状態とする逃げ凹部が設けられている。
【００１３】
このような構成を有するカバー構造体によれば、枠体フレーム等の被装着対象物にカバー本体部が装着されたときに、カバー本体部の逃げ凹部内に締結手段等の突状障害部が収容され、それによってカバー本体部の装着状態がさらに良好化されるようになっている。
【００１４】
さらにまた、本発明では、前記介挿突起部は、前記カバー本体部の内面側から立ち上がるように設けられたリブ状部材からなり、そのリブ状部材は、前記カバー本体部の装着方向の前方側から後方側に向かって立ち上がり寸法が連続的に拡大する矢先形状をなすように形成されている。
【００１５】
このような構成を有するカバー構造体によれば、上述したカバー本体部の装着時における弾性変位が、矢先形状をなすリブ状部材からなる介挿突起部によって円滑に行われるようになっている。
【発明の効果】
【００１６】
以上述べたように本発明は、枠体フレーム等の被装着対象物の少なくとも一部を覆うように装着されるカバー本体部に、当該カバー本体部の装着時にフレーム片の接続部又は締結手段等の突状障害部とカバー本体部とを非干渉状態に弾性変位させる介挿突起部を設けたことによって、被装着対象物に対するカバー本体部の装着を支障なく良好に行わせるように構成したものであるから、複数のフレーム片を接続して適宜の締結手段で連結した枠体フレーム等の被装着対象物に対してカバー本体部を良好に装着することができ、画像形成装置等の各種装置における組立性を低廉かつ確実に向上させることができる。
【発明を実施するための最良の形態】
【００１７】
以下、本発明を複写機に適用した実施形態を図面に基づいて詳細に説明する。
【００１８】
まず、本発明を適用する画像形成装置の一例としての図１に示された複写機は、いわゆる胴内排紙型構造になされたものであって、装置最上部に配置された原稿読取部１が片持ち状をなして略水平に延在する構成になされているとともに、その原稿読取部１の直下位置に、画像形成部２の上面に配置された排紙積載部３が配置されている。
【００１９】
上述した原稿読取部１は、図２に示されているように、上フレーム１１と下フレーム１２とを上下に合体させた平面略矩形状の枠体フレーム（被装着対象物）を備えており、その枠体フレームを構成している上下の両フレーム１１，１２により形成される箱状筐体の中空状内部空間には、図示を省略したスキャナーユニット等の各部品が収容されている。
【００２０】
その枠体フレームを構成している両フレーム１１，１２のうちの下フレーム１２は、有底の薄皿状をなすように形成されているが、それに対する上フレーム１１は、上述した下フレーム１２の外周縁部に沿って環状に延在しており、その上フレーム１１により形成された平面略矩形状の上面開口部１１Ｘに、図示を省略した原稿台ガラスが取り付けられるようになっている。
【００２１】
このとき、前記上フレーム１１は、複数のフレーム片１１ａ〜１１dが環状に接続された分割構造になされており、そのような環状の接続構造になされていることによって、一枚の金属板の打抜き構造に対するコスト低減化が図られている（背景技術参照）。すなわち、上述した各フレーム片１１ａ〜１１dは、細長帯状部材から形成されており、それらのフレーム片１１ａ〜１１dの各端部には、特に図３に示されているように、隣接する他のフレーム片に向かって延出する小片状の接続舌板１１ｅが設けられている。これらの各接続舌板１１ｅは、隣接する他のフレーム片の表面を外側から覆うように重合された配置関係になされている。
【００２２】
より具体的には、上述した各フレーム片１１ａ〜１１dの接続舌板１１ｅは、隣接する他のフレーム片の外表面に対して板厚分の段差をなすように重合されているとともに、その接続舌板１１ｅに設けられた雌ネジ穴１１ｆ内に、締結手段としての固定用雄ネジ１１ｇが螺着され、それらの固定用雄ネジ１１ｇの締め付け力によって、互いに接続されたフレーム片１１ａ〜１１dの固定が行われるようになっている。
【００２３】
このように、複数のフレーム片１１ａ〜１１dが平面略矩形状をなすように接続された上フレーム１１には、図４〜図６に示されているように、装置の操作が行われるフロント側（図示右方側）からカバー本体部１３が装着されている。そのカバー本体部１３は、上述した上フレーム１１と下フレーム１２とからなる枠体フレームの前端縁部に沿って延在する長尺状の樹脂部材から形成されているが、前記上フレーム１１の上面側を覆う上面装着部１３ａと、前記下フレーム１２の下面側を覆う下面装着部１３ｂと、それらの上面装着部１３ａと下面装着部１３ｂとの間を繋いで枠体フレームの前面側を覆う正面張出部１３ｃと、から形成されている。
【００２４】
このような構造をなすカバー本体部１３のうちの上面装着部１３ａには、上述した各フレーム片１１ａ〜１１dの接続舌板１１ｅの重合接続部及び締結手段としての固定用雄ネジ１１ｇ等からなる突状障害部に対して、カバー本体部１３を非干渉状態に弾性変位させるリブ状介挿突起部１３ｄが設けられている。このリブ状介挿突起部１３ｄは、上述したカバー本体部１３の上面装着部１３ａの装着方向先端側の端縁部（図示左端部）に配置されており、当該カバー本体部１３の図示下面側内壁面から略矢先形状をなして下方側に突出するように立設されている。そして、枠体フレームに対してカバー本体部１３を装着する際に、前記リブ状介挿突起部１３ｄの尖塔状先端部分が上フレーム１１の上面部に最初に当接され、そのリブ状介挿突起部１３ｄの下辺傾斜面からなる案内面１３ｅによる楔作用が奏されることによって、前記カバー本体部１３の上面装着部１３ａが上方側に持ち上げられるようにして弾性変位される構成になされている。
【００２５】
このとき、上述したリブ状介挿突起部１３ｄの矢先形状をなす案内面１３ｅの立ち上がり寸法は、図示右方側から左方側に向かう前記カバー本体部１３の装着方向において前方側から後方側に向かって連続的に拡大するように設定されている。そして、そのリブ状介挿突起部１３ｄにおける案内面１３ｅの最大高さは、上述した突状障害部、すなわち接続舌板１１ｅの重合板厚と固定用雄ネジ１１ｇの頭部の高さを合計した寸法よりやや高くなるように設定されており、それによって、上述したカバー本体部１３の上方側弾性変位量が、接続舌板１１ｅの重合接続部及び固定用雄ネジ１１ｇのね頭部より大きくなって、カバー本体部１３がそれらに接触することのない非干渉位置まで持ち上げられるようになっている。
【００２６】
なお、上述したリブ状介挿突起部１３ｄは、締結手段としての固定用雄ネジ１１ｇの片側に配置しても良いし、固定用雄ネジ１１ｇを挟んでその両側に配置しても良い。
【００２７】
一方、前記上フレーム１１の上面部には、上述したカバー本体部１３のリブ状介挿突起部１３ｄを受け入れ可能とする平面略矩形状の係止穴部１１ｈが設けられている。この係止穴部１１ｈは、枠体フレームに対してカバー本体部１３が装着されたときに、前記カバー本体部１３側のリブ状介挿突起部１３ｄを係止させるものであり、当該係止穴部１１ｈの辺部にリブ状介挿突起部１３ｄの段部からなる後端係合面１３ｆが落とし込まれるようにして係合されることによって、上述したカバー本体部１３の浮き上がり状態が解消されて枠体フレームにカバー本体部１３が密着された状態で係止され、外部から異物等の混入が防止されるとともに、枠体フレームからのカバー本体部１３の離脱が防止されるようになっている。
【００２８】
このとき、上述したリブ状介挿突起部１３ｄの後端係合面１３ｆを、上述した係止穴部１１ｈではなく図３中の符号１１ｉで表したような端縁部又は切欠き縁部より形成された係止部に嵌合させるようにした構成を採用することも可能である。
【００２９】
さらに、上述したカバー本体部１３の上面装着部１３ａには、特に図５に示されているように、締結手段としての固定用雄ネジ１１ｇの頭部を受け入れ可能とする逃げ凹部１３ｅが設けられており、カバー本体部１３を装着した後に前記固定用雄ネジ１１ｇの頭部が、そのカバー本体部１３の逃げ凹部１３ｇ内に収容されることによって、カバー本体部１３と固定用雄ネジ１１ｇの頭部とが非干渉状態に維持される構成になされている。
【００３０】
このような構成を有する本実施形態によれば、枠体フレームに対してカバー本体部１３を装着する際に、カバー本体部１３に設けられたリブ状介挿突起部１３ｄの案内面１３ｅの楔作用によって、カバー本体部１３が枠体フレーム側から離間する方向（図示上方向）に持ち上げられ、枠体フレームの接続舌板１１ｅや固定用雄ネジ１１ｇの頭部等の突状障害部に対してカバー本体部１３が非干渉状態となる位置まで弾性変位させられることとなり、それによって枠体フレームに対するカバー本体部１３の装着が支障なく良好に行われるようになっている。
【００３１】
特に、本実施形態では、上述したカバー本体部１３の装着時における弾性変位が、矢先形状をなすリブ状介挿突起部１３ｄの案内面１３ｅによって円滑に行われることとなる。
【００３２】
また本実施形態では、枠体フレームにカバー本体部１３が装着された状態において、カバー本体部１３に設けられたリブ状介挿突起部１３ｄの後端係合面１３ｇが枠体フレーム側の係止穴部１１ｈ内に受け入れられることから、カバー本体部１３の浮き上がり状態が解消されて枠体フレームに対してカバー本体部１３が密着された状態となり、外部から異物等の混入が防止されるとともに、枠体フレームに対するカバー本体部１３の離脱が防止されるようになっている。
【００３３】
さらに本実施形態では、枠体フレームに対してカバー本体部１３が装着されたときに、カバー本体部１３に設けられた逃げ凹部１３ｇ内に固定用雄ネジ１１ｇの頭部が収容されることから、カバー本体部１３の装着状態がさらに良好化されるようになっている。
【００３４】
以上、本発明者によってなされた発明の実施形態を具体的に説明したが、本発明は上述した実施形態に限定されるものではなく、その要旨を逸脱しない範囲で種々変形可能であることはいうまでもない。
【００３５】
例えば、上述した実施形態では、締結手段として固定用雄ネジが用いられているが、その他の多種多様な締結手段を同様に採用することができる。
【００３６】
また、上述した実施形態は、複写機の原稿読取部に対して本発明を適用したものであるが、複写機以外のプリンタ等の他の画像形成装置やその他の装置における各種部位に対しても本発明は同様に適用することができる。
【産業上の利用可能性】
【００３７】
以上述べたように本発明は、プリンタや複写機やファクシミリなどの画像形成装置をはじめとして多種多様な装置に対して広く適用することが可能なものである。
【図面の簡単な説明】
【００３８】
【図１】本発明を適用する画像形成装置の一例としての複写機の全体構成を表した外観斜視説明図である。
【図２】図１に示された複写機における原稿読取部の枠体フレームの全体構造を表した外観斜視説明図である。
【図３】図２に示された原稿読取部の枠体フレームにおける接続部を拡大して表した外観斜視説明図である。
【図４】本発明の一実施形態におけるカバー構造体を原稿読取部の枠体フレームに装着した状態におけるフレーム片の接続部を拡大して表した横断面説明図である。
【図５】図４と隣接する締結手段が装着された部位を拡大して表した横断面説明図である。
【図６】本発明の一実施形態におけるカバー構造体を原稿読取部の枠体フレームに装着する途中過程の状態を表した横断面説明図である。
【符号の説明】
【００３９】
１  原稿読取部
２  画像形成部
３  排紙積載部
１１  上フレーム
１２  下フレーム
１３  カバー本体部
１１ａ〜１１d  フレーム片
１１ｅ  接続舌板
１１ｆ  雌ネジ穴
１１ｇ  固定用雄ネジ（締結手段）
１１ｈ  係止穴部
１１Ｘ  上面開口部
１３ａ  上面装着部
１３ｂ  下面装着部
１３ｃ  正面張出部
１３ｄ  リブ状介挿突起部
１３ｅ  案内面
１３ｆ  後端係合面
１３ｇ  逃げ凹部
【図１】
2008092222.tif 000003
【図２】
2008092222.tif 000004
【図３】
2008092222.tif 000005
【図４】
2008092222.tif 000006
【図５】
2008092222.tif 000007
【図６】
2008092222.tif 000008